(57)【要約】【課題】  安い組み付けコストで、パネル周縁部と開口周縁部との間からの建物内側への雨水の浸入を略全周に亘って確実に防止できるようにする。【解決手段】  建物外壁Ｂに形成してある開口Ｃを、パネル全体を建物外側に向けて往復移動操作自在な可動パネルＡで開閉自在に設け、開口を閉じている可動パネルのパネル周縁部１と、外壁の開口周縁部２との間にガスケット３を設けてある可動パネルのシール構造であって、パネル周縁部に装着するパネル側ガスケット３ａに、可動パネルで開口を閉じた状態で、外壁の建物外面に対して接触可能な第１突片１６と、建物外面よりも建物内側で開口周縁部に向けて突出する第２突片１７との夫々を一連に形成して、パネル周縁部に略全周に亘って装着してある。【選択図】        図４
2006052544.tif 000002
【特許請求の範囲】
【請求項１】
建物外壁に形成してある開口を、パネル全体を建物外側に向けて往復移動操作自在な可動パネルで開閉自在に設け、前記開口を閉じている前記可動パネルのパネル周縁部と、前記外壁の開口周縁部との間にガスケットを設けてある可動パネルのシール構造であって、
前記パネル周縁部に装着するパネル側ガスケットに、前記可動パネルで前記開口を閉じた状態で、前記外壁の建物外面に対して接触可能な第１突片と、前記建物外面よりも建物内側で前記開口周縁部に向けて突出する第２突片との夫々を一連に形成して、前記パネル周縁部に略全周に亘って装着してある可動パネルのシール構造。
【請求項２】
前記開口周縁部に装着する開口側ガスケットに、前記可動パネルで前記開口を閉じた状態で、前記第２突片に対して建物内側から接触可能な第３突片を一連に形成して、前記開口周縁部に略全周に亘って装着してある請求項１記載の可動パネルのシール構造。
【請求項３】
前記開口側ガスケットに、前記可動パネルで前記開口を閉じた状態で、前記第１突片に対して建物内側から接触可能な第４突片を一連に形成してある請求項２記載の可動パネルのシール構造。
【請求項４】
前記第２突片又は前記第３突片をパネル厚さ方向に弾性変形自在に設けて、前記可動パネルが前記開口を閉じる姿勢に切り換わるタイミングよりも先に、前記第２突片と前記第３突片とが略全周に亘って接触可能に設けてある請求項２又は３記載の可動パネルのシール構造。
【請求項５】
前記第２突片と前記第３突片との接触部位を、パネル厚さ方向に沿う断面視で、略円弧状に形成してある請求項４記載の可動パネルのシール構造。
【発明の詳細な説明】
【技術分野】
【０００１】
本発明は、建物外壁に形成してある開口を、パネル全体を建物外側に向けて往復移動操作自在な可動パネルで開閉自在に設け、前記開口を閉じている前記可動パネルのパネル周縁部と、前記外壁の開口周縁部との間にガスケットを設けてある可動パネルのシール構造に関する。
【背景技術】
【０００２】
上記可動パネルのシール構造では、従来、建物外壁に形成してある矩形の開口を開閉自在な矩形の可動パネルを、パネル周縁部の上辺部近くの建物内側に設けた横軸芯周りで、パネル全体を建物外側に向けて往復揺動操作自在に設け、可動パネルで開口を閉じた状態での、パネル周縁部と開口周縁部との間からの建物内側への雨水の浸入を、パネル周縁部と開口周縁部の上辺部どうしの間からの雨水の浸入については、開口周縁部に装着した開口側ガスケットをパネル周縁部の上辺部に対して建物外面側から接触させて防止し、パネル周縁部と開口周縁部の側辺部及び下辺部どうしの間からの雨水の浸入については、パネル周縁部に装着したパネル側ガスケットを開口周縁部の側辺部及び下辺部に対して建物外面側から接触させて防止している。
つまり、可動パネルで開口を閉じた状態で、開口周縁部の上辺部に装着した開口側ガスケットに形成してある下向き突片を、可動パネルの建物外面側に対して接触させて、パネル周縁部と開口周縁部の上辺部どうしの間からの雨水の浸入を防止し、パネル周縁部の側辺部及び下辺部に装着したパネル側ガスケットに形成してある接触部を、開口周縁部の側辺部及び下辺部に対して建物外面側から接触させて、パネル周縁部と開口周縁部の側辺部及び下辺部どうしの間からの雨水の浸入を防止し、開口側ガスケットの突片がパネル周縁部の建物外面側上辺部に対して弾性的に常時接触可能な揺動範囲で、可動パネルを建物外側に向けて往復揺動操作自在に設けている（例えば、特許文献１参照）。
【０００３】
【特許文献１】特許第３４４０４２６号公報
【発明の開示】
【発明が解決しようとする課題】
【０００４】
上記従来の可動パネルのシール構造では、パネル周縁部と開口周縁部との間からの建物内側への雨水の浸入を、パネル周縁部と開口周縁部の上辺部どうしの間からの雨水の浸入については、開口周縁部に装着した開口側ガスケットで防止し、パネル周縁部と開口周縁部の側辺部及び下辺部どうしの間からの雨水の浸入については、パネル周縁部に装着したパネル側ガスケットで防止しているために、雨水の浸入防止構造をパネル周縁部と開口周縁部との間に略全周に亘って連続的に設けることができず、各ガスケットの終端部近くにおいて、建物内側に雨水が浸入し易い欠点がある。
また、可動パネルで開口を閉じた状態での、開口側ガスケットの可動パネルに対する接触と、パネル側ガスケットの開口周縁部に対する接触とで、パネル周縁部と開口周縁部との間からの建物内側への雨水の浸入を防止しているので、取り付け誤差などに起因してそれらの接触が不充分な場合は、雨水の浸入を防止できないおそれがある。
その上、開口周縁部の上辺部に装着する開口側ガスケットと、パネル周縁部の側辺部及び下辺部に装着するパネル側ガスケットとの、横断面形状が異なる二種類のガスケットを各別に装着する必要があり、組み付けコストが高くなる欠点もある。
本発明は上記実情に鑑みてなされたものであって、安い組み付けコストで、パネル周縁部と開口周縁部との間からの建物内側への雨水の浸入を略全周に亘って確実に防止できるようにすることを目的とする。
【課題を解決するための手段】
【０００５】
本発明の第１特徴構成は、建物外壁に形成してある開口を、パネル全体を建物外側に向けて往復移動操作自在な可動パネルで開閉自在に設け、前記開口を閉じている前記可動パネルのパネル周縁部と、前記外壁の開口周縁部との間にガスケットを設けてある可動パネルのシール構造であって、前記パネル周縁部に装着するパネル側ガスケットに、前記可動パネルで前記開口を閉じた状態で、前記外壁の建物外面に対して接触可能な第１突片と、前記建物外面よりも建物内側で前記開口周縁部に向けて突出する第２突片との夫々を一連に形成して、前記パネル周縁部に略全周に亘って装着してある点にある。
【０００６】
〔作用及び効果〕
パネル周縁部に装着するパネル側ガスケットに、可動パネルで開口を閉じた状態で、外壁の建物外面に対して接触可能な第１突片を一連に形成して、パネル周縁部に略全周に亘って装着してあるので、パネル周縁部と開口周縁部との間を、建物外面に対して接触している第１突片で略全周に亘って塞いで、建物内側への雨水の浸入を防止できる。
また、パネル側ガスケットには、建物外面に対して接触可能な第１突片に加えて、可動パネルで開口を閉じた状態で、建物外面よりも建物内側で開口周縁部に向けて突出する第２突片を一連に形成して、第１突片と第２突片との間を、パネル周縁部の略全周に亘って、外壁に向けて開口する溝状に形成してあるので、可動パネルで開口を閉じた状態で、仮に、外壁の建物外面に対する第１突片の接触が不充分で、第１突片と建物外面との間から雨水が浸入しても、その浸入した雨水を第１突片と第２突片との間の溝状部分に沿って流下させて、第１突片と建物外面との間から建物外面側に排出することができる。
従って、開口周縁部に別のガスケットを特に装着しておくことなく、パネル周縁部に略全周に亘って装着してあるパネル側ガスケットにより、安い組み付けコストで、パネル周縁部と開口周縁部との間からの建物内側への雨水の浸入を略全周に亘って確実に防止できる。
【０００７】
本発明の第２特徴構成は、前記開口周縁部に装着する開口側ガスケットに、前記可動パネルで前記開口を閉じた状態で、前記第２突片に対して建物内側から接触可能な第３突片を一連に形成して、前記開口周縁部に略全周に亘って装着してある点にある。
【０００８】
〔作用及び効果〕
開口周縁部に装着する開口側ガスケットに、可動パネルで開口を閉じた状態で、パネル側ガスケットに一連に形成してある第２突片に対して、建物内側から接触可能な第３突片を一連に形成して、開口周縁部に略全周に亘って装着してあるので、可動パネルで開口を閉じた状態で、仮に、外壁の建物外面に対する第１突片の接触が不充分であっても、第２突片に対する第３突片の接触でパネル周縁部と開口周縁部との間の略全周に亘る気密・水密性や遮音性を確保することができ、建物内外の気密・水密性や遮音性を確保し易い。
【０００９】
本発明の第３特徴構成は、前記開口側ガスケットに、前記可動パネルで前記開口を閉じた状態で、前記第１突片に対して建物内側から接触可能な第４突片を一連に形成してある点にある。
【００１０】
〔作用及び効果〕
開口側ガスケットに、可動パネルで開口を閉じた状態で、第１突片に対して建物内側から接触可能な第４突片を一連に形成してあるので、パネル側ガスケットに形成してある第１突片と開口周縁部との接触部位と、パネル側ガスケットに形成してある第２突片と開口側ガスケットに形成してある第３突片との接触部位と、パネル側ガスケットに形成してある第１突片と開口側ガスケットに形成してある第４突片との接触部位との三箇所の接触部位で、パネル周縁部と開口周縁部との間の略全周に亘る気密・水密性や遮音性を一層確保し易い。
【００１１】
本発明の第４特徴構成は、前記第２突片又は前記第３突片をパネル厚さ方向に弾性変形自在に設けて、前記可動パネルが前記開口を閉じる姿勢に切り換わるタイミングよりも先に、前記第２突片と前記第３突片とが略全周に亘って接触可能に設けてある点にある。
【００１２】
〔作用及び効果〕
パネル側ガスケットに形成してある第２突片又は開口側ガスケットに形成してある第３突片をパネル厚さ方向に弾性変形自在に設けて、可動パネルが開口を閉じる姿勢に切り換わるタイミングよりも先に、第２突片と第３突片とが略全周に亘って接触可能に設けてあるので、第２突片と第３突片とが略全周に亘って接触してから、可動パネルが開口を閉じる姿勢に切り換わるまでに、第２突片又は第３突片が弾性変形可能な範囲で、パネル側ガスケット又は開口側ガスケットの装着姿勢の誤差を吸収して、第２突片に対して第３突片を確実に接触させることができ、パネル周縁部と開口周縁部との間の略全周に亘る気密・水密性や遮音性を一層確保し易い。
【００１３】
本発明の第５特徴構成は、前記第２突片と前記第３突片との接触部位を、パネル厚さ方向に沿う断面視で、略円弧状に形成してある点にある。
【００１４】
〔作用及び効果〕
第２突片と第３突片との接触部位を、パネル厚さ方向に沿う断面視で、略円弧状に形成してあるので、第２突片と第３突片とのパネル厚さ方向に沿う接触幅を広く確保し易く、パネル周縁部と開口周縁部との間の略全周に亘る気密・水密性や遮音性を更に一層確保し易い。
【発明を実施するための最良の形態】
【００１５】
以下に本発明の実施の形態を図面に基づいて説明する。
〔第１実施形態〕
図１〜図４は、建物外壁Ｂに形成してある開口Ｃを、パネル全体を建物外側に向けて往復移動操作自在な可動パネルＡで開閉自在に設け、開口Ｃを閉じている可動パネルＡのパネル周縁部１と、外壁Ｂの開口周縁部２との間にガスケット３を設けてある本発明による可動パネルＡのシール構造を示している。
【００１６】
前記外壁Ｂは、上下左右に配置した複数の矩形ガラスパネル４ａ，４ｂの四隅同士を建物内側の支柱１０などの躯体側に固定してある連結金具５ａ，５ｂで略面一に連結して構成してあり、これらのガラスパネル４ａ，４ｂのうちの一枚のガラスパネル４ａを、開口Ｃを開閉自在な可動パネルＡに構成するとともに、開口周縁部２を固定ガラスパネル４ｂで構成し、固定ガラスパネル４ｂの端面同士は目地材６で接続してある。
【００１７】
前記可動パネルＡは、図２，図３に示すように、ガラスパネル４ａの左右の上部隅を蝶番付き連結金具５ａの蝶番７に固定して、建物外側に向けて横軸芯Ｘ周りで揺動自在に支持するとともに、その可動パネルＡの内側に開閉装置８を設けて、可動パネルＡの全体を建物外側に向けて往復揺動操作自在に構成してある。
【００１８】
前記開閉装置８は、可動パネルＡの下部左右両側に滑車支持具９を固定し、一端を支柱１０などの躯体側に固定してあるワイヤー１１を、両滑車支持具９の滑車１２に巻き掛けて、躯体側に固定してあるロック機構付きの手動式巻き取り具１３で巻き取り自在に設けるとともに、伸張側に付勢してあるガスダンパー１４の二個を、左右の滑車支持具９とその背面側の各支柱１０とに亘って揺動自在に固定して構成してある。
【００１９】
そして、ワイヤー１１を巻き取り具１３で巻き取ることによって、ガスダンパー１４を付勢力に抗して強制的に収縮させ、その状態でワイヤー１１が繰り出されないようにロックしておくことによって、図２に示すように可動パネルＡを閉じ姿勢に保持し、ワイヤー１１のロックを解除することによって、ガスダンパー１４を付勢力で伸張させると共に、ワイヤー１１を繰り出して、可動パネルＡを、図２中に仮想線で示すように、開き姿勢に保持できるようにしてある。
【００２０】
前記ガスケット３は、パネル周縁部１と開口周縁部２との夫々に全周に亘って一連の環状に装着してあり、パネル周縁部１に装着してあるパネル側ガスケット３ａは、パネル周縁部１に全周に亘って外嵌接着してある横断面形状が略コの字状の装着部１５に、図４（ロ）に示す可動パネルＡで開口Ｃを閉じた状態で、開口周縁部２の建物外面側に対して一連に密着状態で加圧接触可能な第１突片１６と、開口周縁部２の建物外面側よりも建物内側で開口周縁部２に向けて一連に突出する横断面形状が略円弧状の第２突片１７との夫々を一連に形成してある。
【００２１】
また、開口周縁部２に装着してある開口側ガスケット３ｂは、開口周縁部２の建物内側角部に沿って全周に亘って接着してある横断面形状が略Ｌ字状の装着部２０に、図４（ロ）に示す可動パネルＡで開口Ｃを閉じた状態で、第２突片１７に対して建物内側から一連に加圧接触可能な第３突片１８と、第１突片１６に対して建物内側から一連に加圧接触可能な第４突片１９とを一連に形成してある。
【００２２】
そして、パネル側ガスケット３ａと開口側ガスケット３ｂとをシリコーンゴムなどの弾性材で形成して、第１〜第４突片１６，１７，１８，１９をパネル厚さ方向に弾性変位自在に設け、図４（イ）に示すように、可動パネルＡを内向きに揺動させて開口Ｃを閉じる姿勢に切り換わるタイミングよりも先に、第２突片１７と第３突片１８とが略全周に亘って接触可能に設け、第２突片１７を更に第３突片１８に押し付けるに伴って、第２突片１７と第３突片１８とが、パネル厚さ方向に沿う断面視で、略全周に亘って、略円弧状に面接触するように形成してある。
【００２３】
〔第２実施形態〕
図５は、本発明によるシール構造を設けてある可動パネルＡの別実施形態を示し、躯体側に固定してある支柱１０間の各々に複数の矩形ガラスパネル４ａ，４ｂを上下に配置するとともに、上下に隣り合うガラスパネル４ａ，４ｂの四隅を支柱１０に固定してある連結金具５ａ，６ｂで略面一に連結して、建物外壁Ｂを構成し、上下に隣り合うガラスパネル４ａ，４ｂのうちの特定高さ位置のガラスパネル４ａの各々は、その左右の上部隅を蝶番付き連結金具５ａの蝶番７に固定して、開口Ｃを各別に開閉自在な可動パネルＡに構成してある。
【００２４】
そして、図６に示すように、左右の支柱１０の可動パネルＡに沿う部分にガスケット装着用のスリット状の切欠き２１を形成して、開口周縁部２を上下の固定ガラスパネル４ｂと左右の支柱１０とで構成し、固定ガラスパネル４ｂと左右の支柱１０とに亘って、開口側ガスケット３ｂを一連の環状に装着するとともに、パネル側ガスケット３ａをパネル周縁部２に装着してある。
その他の構成は第１実施形態と同様である。
【００２５】
〔その他の実施形態〕
１．本発明による可動パネルのシール構造は、金属製や木製，樹脂製の可動パネルのシール構造であっても良い。
２．本発明による可動パネルのシール構造は、複層ガラスや合わせガラス，強化板ガラス，半強化板ガラス，フロート板ガラス、型板ガラス，熱線吸収ガラス，熱線反射ガラス，各種表面処理を施してある板ガラスなどで構成してある可動パネルのシール構造であっても良い。
３．本発明による可動パネルのシール構造は、突き出し窓や外倒し窓におけるパネル下端近くの横軸芯周りで揺動開閉操作自在に設けてある可動パネルのシール構造であっても良い。
４．本発明による可動パネルのシール構造は、パネルの左右方向一端側近くの縦軸芯周りで揺動開閉操作自在に設けてある可動パネルのシール構造であっても良い。
５．本発明による可動パネルのシール構造は、全体が外壁面に対して略平行な姿勢で開閉自在で、かつ、開口を開いた状態では外壁面に沿ってスライド移動自在に設けてある可動パネルのシール構造であっても良い。
６．本発明による可動パネルのシール構造は、金属製や木製，樹脂製，コンクリート製の建物外壁に形成してある開口を開閉自在な可動パネルのシール構造であっても良い。
７．本発明による可動パネルのシール構造は、外壁の開口周縁部の一部又は全部を床スラブや内壁の端部で形成してあっても良い。
８．本発明による可動パネルのシール構造は、円形や楕円形，多角形その他の任意形状に形成してある開口を開閉自在な可動パネルのシール構造であっても良い。
９．本発明による可動パネルのシール構造は、パネル周縁部に沿う環状に予め形成してあるパネル側ガスケットをパネル周縁部に装着してあっても、複数に分割したパネル側ガスケットをパネル周縁部に装着してあっても良い。
１０．本発明による可動パネルのシール構造は、開口周縁部に沿う環状に予め形成してある開口側ガスケットを開口周縁部に装着してあっても、複数に分割した開口側ガスケットを開口周縁部に装着してあっても良い。
【図面の簡単な説明】
【００２６】
【図１】建物外壁の外観図
【図２】要部の一部断面側面図
【図３】要部の一部断面平面図
【図４】要部の縦断面図
【図５】第２実施形態を示す建物外壁の外観図
【図６】要部の横断面図
【符号の説明】
【００２７】
１    パネル周縁部
２    開口周縁部
３    ガスケット
３ａ  パネル側ガスケット３ａ
３ｂ  開口側ガスケット
１６  第１突片
１７  第２突片
１８  第３突片
１９  第４突片
Ａ    可動パネル
Ｂ    建物外壁
Ｃ    開口
【図１】
2006052544.tif 000003
【図２】
2006052544.tif 000004
【図３】
2006052544.tif 000005
【図４】
2006052544.tif 000006
【図５】
2006052544.tif 000007
【図６】
2006052544.tif 000008